(57)【要約】【課題】安全かつ安価なポインタ機能を有する使用者にとって使い勝手の良い携帯電子機器を提供する。【解決手段】ＬＥＤ１５が発生する光を筐体２外部に放射して情報を表示するインジケータ１３と、ＬＥＤ１５が発生する光を集光して前記筐体２外部に放射するポインタ用レンズ１４と、を有する。また、発光部色割り振り指令が入力された場合に、他の携帯電子機器（子端末）と通信を行う通信部５１と、他の携帯電子機器（子端末）と通信して、自機（親端末）のＬＥＤ１５の発光色及び他の携帯電子機器（子端末）の発光部の発光色を決定する制御部５７を有している。そして、ＬＥＤ１５は、前記記憶部５６に記憶された自機（親端末）の発光色情報に基づく色を発光する。【選択図】図４
2010278690.tif 000002
【特許請求の範囲】
【請求項１】
筐体と、
前記筐体内部に配設されている発光部と、
前記発光部が発生する光を前記筐体外部に放射して報知するインジケータと、
前記発光部が発生する光を集光して前記筐体外部に放射するポインタ用レンズと、
を有する携帯電子機器。
【請求項２】
前記筐体内部の前記発光部と前記ポインタ用レンズとの間に、前記発光部が発光した光を遮光する光遮断部が配置されている
請求項１に記載の携帯電子機器。
【請求項３】
前記光遮断部は、制御部からの制御に基づいて光を遮光する
請求項１又は２に記載の携帯電子機器。
【請求項４】
前記発光部は、複数の波長の光を発光可能である
請求項１〜３いずれか１項に記載の携帯電子機器。
【請求項５】
発光部色割り振り指令が入力された場合に、他の携帯電子機器と通信を行う通信部と、
前記他の携帯電子機器と通信して、自機の発光部の発光部の発光色及び前記他の携帯電子機器の発光部の発光色を決定する制御部と、
前記制御部が決定した自機の発光色及び他の携帯電子機器の発光部の発光色情報を記憶する記憶部と、を有し、
前記発光部は、前記記憶部に記憶された自機の発光色情報に基づく色を発光する
請求項１〜４いずれか１項に記載の携帯電子機器。
【請求項６】
発光部色割り振り指令が入力された場合に、他の携帯電子機器と通信を行う通信部と、
前記他の携帯電子機器が決定した、自機の発光部の発光色の発光色情報を記憶する記憶部と、
を有し、
前記発光部は、前記記憶部に記憶された自機の発光色情報に基づく色を発光する
請求項１〜５いずれか１項に記載の携帯電子機器。
【請求項７】
前記制御部は、前記自機の発光部の発光色情報及び前記他の携帯電子機器の発光部の発光色情報、並びに、前記自機の識別表示情報及び前記他の携帯電子機器の識別表示情報を、前記通信部を介して前記プロジェクタへ発信する
請求項５又は６に記載の携帯電子機器。
【請求項８】
他機器と通信可能な複数の携帯電子機器と、
当該携帯電子機器と通信可能なプロジェクタと、を有し、
前記携帯電子機器の少なくとも１つは、
発光部色割り振り指令が入力された場合に、他の携帯電子機器と通信を行う第１の通信部と、
前記他の携帯電子機器と通信して、自機の発光部の発光色及び前記他の携帯電子機器の発光部の発光色を決定する第１の制御部と、を有し、
前記プロジェクタは、
前記第１の制御部によって決定された前記自機の発光部の発光色情報及び前記他の携帯電子機器の発光部の発光色情報、並びに、前記自機の識別表示情報及び前記他の携帯電子機器の識別表示情報を受信する第２の通信部と、
前記第２の通信部を介して受信した各携帯電子機器の発光色情報及び識別表示情報を投影するプロジェクタ投影部と、を有する
プロジェクションシステム。
【発明の詳細な説明】
【技術分野】
【０００１】
本発明は携帯電話機、ＰＤＡ、携帯型ゲーム機、携帯用テレビ、携帯用ラジオ等の携帯電子機器に関する。また、これを用いたプロジェクションシステムに関する。
【背景技術】
【０００２】
携帯用電子機器の高機能化にともない、携帯電子機器にレーザーポインタ機能を搭載するものが現われている。
特許文献１には、レーザーポインタ機能を有する携帯電子機器が記載されている。
【先行技術文献】
【特許文献】
【０００３】
【特許文献１】特開２００７―４２１４８号公報
【発明の概要】
【発明が解決しようとする課題】
【０００４】
しかしながら、特許文献１のように、携帯電子機器にレーザーポインタを搭載するのでは、レーザー光線は高エネルギーであるために、目に入ると危険である。
さらに、レーザー光線を発光するジェネレータは高価である。
【０００５】
本発明の目的は、安全かつ安価なポインタ機能を有する携帯電子機器およびプロジェクションシステムを提供することである。
【課題を解決するための手段】
【０００６】
本発明の携帯電子機器は、筐体と、前記筐体内部に配設されている発光部と、前記発光部が発生する光を前記筐体外部に放射して報知するインジケータと、前記発光部が発生する光を集光して前記筐体外部に放射するポインタ用レンズと、を有する。
【０００７】
好適には、前記筐体内部の前記発光部と前記ポインタ用レンズとの間に、前記発光部が発光した光を遮光する光遮断部が配置されている。
【０００８】
好適には、前記光遮断部は、制御部からの制御に基づいて光を遮光する。
【０００９】
好適には、前記発光部は、複数の波長の光を発光可能である。
【００１０】
好適には、発光部色割り振り指令が入力された場合に、他の携帯電子機器と通信を行う通信部と、前記他の携帯電子機器と通信して、自機の発光部の発光部の発光色及び前記他の携帯電子機器の発光部の発光色を決定する制御部と、前記制御部が決定した自機の発光色情報及び他の携帯電子機器の発光部の発光色情報を記憶する記憶部と、を有し、前記発光部は、前記記憶部に記憶された自機の発光色を発光する。
【００１１】
好適には、発光部色割り振り指令が入力された場合に、他の携帯電子機器と通信を行う通信部と、前記他の携帯電子機器が決定した、自機の発光部の発光色の発光色を記憶する記憶部と、を有し、前記発光部は、前記記憶部に記憶された自機の発光色情報に基づく色を発光する。
【００１２】
好適には、前記制御部は、前記自機の発光部の発光色情報及び前記他の携帯電子機器の発光部の発光色情報、並びに、前記自機の識別表示情報及び前記他の携帯電子機器の識別表示情報を、前記通信部を介して前記プロジェクタへ発信する。
【００１３】
本発明のプロジェクションシステムは、他機器と通信可能な複数の携帯電子機器と、当該携帯電子機器と通信可能なプロジェクタと、を有し、前記携帯電子機器の少なくとも１つは、発光部色割り振り指令が入力された場合に、他の携帯電子機器と通信を行う第１の通信部と、前記他の携帯電子機器と通信して、自機の発光部の発光色及び前記他の携帯電子機器の発光部の発光色を決定する第１の制御部と、を有し、前記プロジェクタは、前記第１の制御部によって決定された前記自機の発光部の発光色情報及び前記他の携帯電子機器の発光部の発光色情報、並びに、前記自機の識別表示情報及び前記他の携帯電子機器の識別表示情報を受信する第２の通信部と、前記第２の通信部を介して受信した各携帯電子機器の発光色情報及び識別表示情報を投影するプロジェクタ投影部と、を有する。
【発明の効果】
【００１４】
本発明によると、安全かつ安価なポインタ機能を有する携帯電子機器を提供することができる。
【図面の簡単な説明】
【００１５】
【図１】本発明の実施形態に係る携帯電話機の外観を開状態で示す斜視図である。
【図２】図１のＩＩ−ＩＩにおける断面図である。
【図３】図１及び図２の携帯電話機の信号処理系を示すブロック図である。
【図４】第１の変形例を表す説明図である。
【図５】本発明の携帯電話機を複数用いた様子を表したものである
【図６】親端末が子端末１、子端末２及び親端末自身のＬＥＤの発光色を決定する信号処理系を表すブロック図である。
【図７】親端末が子端末１、子端末２及び親端末自身のＬＥＤの発光色を決定する手順を表した説明図である。
【図８】第３の変形例を説明する説明図である。
【図９】スクリーンに表示する表示例である。
【図１０】プロジェクタ３０に発光色及び発光色に対応したユーザ情報（識別表示）を通知する際の信号処理系を表すブロック図である。
【図１１】プロジェクタ３０が発光色及び識別表示３３を行う際の内部処理を表した説明図である。
【発明を実施するための形態】
【００１６】
図１は、本発明の実施形態に係る携帯電話機１の外観を開状態で示す斜視図である。
【００１７】
携帯電話機１は、非折り畳み式の携帯電話機１として構成されている。
携帯電話機１は入力部１０及び表示部８が形成されているフロントケース４と、反対側部分を構成するリアケース５とを有している。以下、フロントケース４とリアケース５とをあわせて筐体２という。
【００１８】
フロントケース４及びリアケース５はネジ等により互いに固定され、フロントケース４及びリアケース５の間に形成された空間に種々の電子部材を収容する収容空間が構成される。
フロントケース４、リアケース５は、例えば、樹脂により形成されている。
【００１９】
入力部１０には、複数の入力キーが配置されており、ユーザはこの入力キーを押圧することによって携帯電話機１に命令・入力を行う。
なお、入力部１０は図１ではフロントケース４の表面にのみ配置されているが、筐体２の右側面１１、左側面１２、上側面２０及び下側面２１に配置されているサイドキーも含まれる。
【００２０】
表示部８は、携帯電話機１の状態、ユーザの操作内容、発信先電話番号、電子メールの内容の表示、ゲーム画面等の様々な情報を表示するためのものである。
また、表示部８はＬＣＤ（液晶ディスプレイ）、ＯＬＥＤ（Organic light-emitting diode：有機ＥＬ）等によって構成されている。
【００２１】
なお、方向を示すときは、リアケース５からフロントケース４に向かう方向を表面方向（図１においては、紙面手前の方向）といい、フロントケース４からリアケース５に向かう方向を裏面方向（図１においては、紙面奥手の方向）という。
【００２２】
また、入力部１０から表示部８に向かう方向の位置にある側面を上側面２０とし、表示部８から入力部１０に向かう方向の位置にある側面を下側面とする。
そして、上側面２０に向かう方向を上側面方向（図1においては紙面右の方向）といい、下側面２１に向かう方向を下側面方向（図１においては紙面左の方向）という。
【００２３】
さらに、表示部８を上にして入力部１０を下として、携帯電話機１を見たときに、右側に来る側面を右側面１１とし、左側に来る側面を左側面１２という。
そして、右側面１１側に向かう方向を右側面方向（図１においては、紙面下の方向）といい、左側面１２面に向かう方向を左側面方向（図１においては、紙面上の方向）という。
【００２４】
フロントケース４の上側面方向の位置には、インジケータ１３が配置されている。このインジケータ１３は、電話の着信、メールの着信、アラーム時刻の到来等の情報をユーザに認知させるためのものである。
認知させる方法としては、インジケータ１３を特定の色で発光させる、又は点灯させることによる方法による。
インジケータ１３は、透明、半透明に作製される。
【００２５】
また、上側面２０の、インジケータ側にはポインタ用レンズ１４が配置される。このポインタ用レンズ１４を通してポインタ用の光が投射される。
ポインタ用の光は例えば図１のように、スクリーン３１に投射されて各種の文字、図形等を指し示すために用いられる。
【００２６】
図２は、図１のＩＩ−ＩＩにおける断面図である。
【００２７】
フロントケース４とリアケース５で構成される筐体２の内部には、プリント基板１６が配設されている。
プリント基板１６には、携帯電話機１を駆動するための各種の電子機器が実装されている。
本発明においては、プリント基板１６上には発光部であるＬＥＤ１５が実装されている。ＬＥＤ１５は青、赤、緑のＬＥＤ１５が実装されており、かつ、各ＬＥＤ１５は後述するポインタ・インジケータ制御部５３によって各々独立に発光量が制御される。
これによって、ＬＥＤ１５は任意の色の光を生成することができる。
【００２８】
ＬＥＤ１５によって生成された光は、２方向において利用される。
一方は、インジケータ１３において使用される光である。
具体的には、ＬＥＤ１５によって生成された光は、フロントケース４に形成されているインジケータ１３部に入射する。そして、インジケータ１３に入射した光は、インジケータ１３内部を透過して、このインジケータ１３の筐体２の外部に露出している表面から携帯電話機１の外部に放射される。
ユーザは、この放射された光を認識して携帯電話機１の各種の状態（電話の着信、電子メールの着信、スケジュールアラームの点灯）を知ることができる。
他方は、ポインタとして使用される光である。
具体的には、ＬＥＤ１５によって生成された光は、光遮断部１７を通過し、ポインタ用レンズ１４によって集光される。そして、ポインタ用レンズ１４によって集光された光はポインタ用レンズ１４が筐体２の外部に露出している面から携帯電話機１の外部に放射される。
この放射された光は、スクリーン３１等に入射するまで直進して、入射されたスクリーン３１等に光が投影される。
ユーザは、このスクリーン３１等に投影された光を認識する。これによって、本発明の携帯電話機１はポインタ機能を発揮することができる。
なお、ポインタ機能を発揮する光はＬＥＤ１５によって形成されており、赤、青、緑の３種類の色をその光量を調整可能であるから、ポインタの色も任意に生成可能である。
【００２９】
ＬＥＤ１５とポインタ用レンズ１４との間に配置されている光遮断部１７は、機械的に光の軌道を光が透過しない材料で構成された光遮断板を差し込むことによって行う。
もっとも、これに限定する趣旨ではなく、例えば、通電することによって光を透過しなくなる液晶パネルによることもできる。
つまり、ＬＥＤ１５から出射される光を遮断可能な方法であればどのような方法を用いることもできる。
【００３０】
図３は、図１及び図２の携帯電話機１の信号処理系を示すブロック図である。
【００３１】
図３に示されるように、携帯電話機１は、制御・処理の中枢である制御部５７と、通信部５１と、入力部１０と、ポインタ・インジケータ制御部５３と、表示部８と、記憶部５６のそれぞれが、アドレス、データ、コントロールのためのラインが複数本からなるシステムバス５８に共通に接続され、構成される。
【００３２】
通信部５１は、無線通信システムを捕捉し、通信ネットワークに接続される基地局との間で無線通信を行い、各種データの送受信を行う。各種データとは、Ｗｅｂ上のダウンロードサイトのからダウンロードされるファイルのデータ、音声通話時の音声データ、メール送受信時のメールデータ、ウェブ閲覧時のウェブページデータ、等である。
【００３３】
入力部１０は、テンキー及びその他の部分から入力されるユーザの指示を受け付ける。
入力部１０には、例えば、電源キー、通話キー、数字キー、文字キー、方向キー、決定キー、発信キー、ファンクションキー、サイドキーなど、各種の機能が割り当てられたキーが配置されている。
そして、これらのキーがユーザによって操作された場合に、その操作内容に対応する信号を発生し、これをユーザの指示として制御部５７に出力する。
【００３４】
表示部８は、例えばＬＣＤやＯＬＥＤ（Organic light-emitting diode（有機ＥＬ））を用いて構成されており、制御部５７から供給される映像信号に応じた画像を表示する。
表示部８は、例えば、通信部５１による無線発信時における発信先の電話番号、着信時における発信元の電話番号、受信メールや送信メールの内容、日付、時刻、電池残量、発信成否、待ち受け画面等を表示する。
【００３５】
記憶部５６では、携帯電話機１の各種処理に利用される各種データを記憶する。
記憶部５６は、例えば、制御部５７が実行するコンピュータのプログラム、通信相手の電話番号や電子メールアドレス等の個人情報を管理するアドレス帳、着信音やアラーム音を再生するための音声ファイル、待ち受け画面用の画像ファイル、各種の設定データ、プログラムの処理過程で利用される一時的なデータが記憶される。
また、記憶部５６ではＬＥＤ１５が発光している現在の色を記憶する機能をも有する。
【００３６】
なお、記憶部５６は、例えば、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。
【００３７】
ポインタ・インジケータ制御部５３は、ＬＥＤ１５の制御及び光遮断部１７の制御を行う。
ＬＥＤ１５の制御とは、制御部５７の命令に基づき、ＬＥＤ１５の発光量を制御して制御部５７によって命令された色の光を生成する。
また、光遮断部１７の制御とはＬＥＤ１５によって生成された光がポインタ用レンズ１４に入射しないように遮断を行う。
この光遮断部１７を制御し光を遮断することによって、ＬＥＤ１５が生成した光をインジケータ用としてのみ用いることができる。
逆に、光遮断部１７を制御して光を透過することによって、ＬＥＤ１５が生成した光をポインタ機能に用いることができる。
【００３８】
制御部５７は、携帯電話機１の全体的な動作を統括的に制御する。
すなわち、制御部５７は、携帯電話機１の各種処理（回線交換網を介して行われる音声通話、電子メールの作成と送受信、インターネットのＷｅｂ上のダウンロードサイトの閲覧など）が入力部１０の操作に応じて適切な手順で実行されるように、上述した各ブロックの動作（通信部５１における信号の送受信、表示部８における画像の表示等）を制御する。
さらに、制御部５７は、記憶部５６に格納されるプログラム（オペレーティングシステム、アプリケーションプログラム等）に基づいて処理を実行するコンピュータ（マイクロプロセッサ）を備えており、このプログラムにおいて指示された手順に従って上述した処理を実行する。
すなわち、制御部５７は、記憶部５６に格納されるオペレーティングシステムやアプリケーションプログラム等のプログラムから命令コードを順次受け取って処理を実行する。
【００３９】
また制御部５７は、ユーザからの指令により自動的にＬＥＤ１５の色を選択し、ポインタ・インジケータ制御部５３を制御する。又は、ユーザがＬＥＤ１５の発光色を指定して、それに基づきポインタ・インジケータ制御部５３に指令をする。
さらにまた、制御部５７は、通信部５１から伝達される他の携帯電話機１からの色指定情報信号に基づき、自機のＬＥＤ１５が発光する色を決定する役割を有する場合もある（後述する第１変形例を参照）。
【００４０】
また、記憶部５６に前回使用した光の色を記憶させておきポインタ機能を使用する際には前回の色を自動的に選択することができるようにしてもよい。
【００４１】
さらに、ユーザの好み及び法律若しくは習慣によって、一定の色を使用できない又は使用を好まないという場合もあり得る。例えば、赤色のレーザーは銃などの照準等に利用されている為に、そのような色のポインタは法律上又は慣習上使用することができない場合があり得る。
このような場合のために、携帯電話機１の記憶部５６に予め一定の色を使用できない旨の情報を保存しておき、制御部５７が色を選択する際に選択できないようにすることも可能である。
【００４２】
以上のように構成することによって、携帯電話機１は、レーザー光線ではなくＬＥＤ１５の光によってポインタ機能を発揮することができる。
そして、ＬＥＤ１５の光はレーザー光線よりもエネルギーが低いことから、万一光が人間の目に入ってしまった場合であっても失明等のダメージを人間に与えないという利点がある。
さらに、ＬＥＤ１５はレーザー光線を発生させる電子部品よりも極めて安いのであるから、安価にポインタ機能を携帯電話機１に搭載することができるという利点がある。
また、ＬＥＤ１５をポインタ用とインジケータ用の両方に兼用することができるのであるから、レーザー光線を発生させる電子部品を別に搭載する場合に比べて、部品点数の削減になる。このことは、製造上のコスト削減に寄与する。
【００４３】
また、レーザー光線の光の色を変更することは困難で、多額のコストを必要とするが、ＬＥＤ１５であれば単に赤、青、緑の３種類のＬＥＤ１５を搭載すれば任意の色を作成することができる。
これによって、ポインタに用いている光の色を各ユーザに通知しておけば、誰がどこを指し示しているかを容易に認識することが可能となり、利便性が増す。
【００４４】
＜第１の変形例＞
より好適な変形例を示す。
図４は、第１の変形例を表す説明図である。
図４は、図２に示された部分と同じ部分の断面図である。
【００４５】
図４のように、ＬＥＤ１５のポインタ用レンズ１４がある位置と反対側の位置には、反射板２４が配置される。
このようにしたことによって、ＬＥＤ１５から出射された光を効率的にポインタ用レンズ１４に集めることができる。
なお、反射板２４の形状はポインタ用レンズ１４に効率的に光を集光することができるのであれば任意に決定することができる。
ところで、反射板２４はポインタ用レンズ１４に光を集光しているが、インジケータ１３側に光を集光していなくてもよい。なぜなら、インジケータ１３はＬＥＤ１５の光を利用しているがポインタ機能のように強い光を必要としないのであるから反射板２４によって光を集光する必要はない場合が多いからである。もっとも、インジケータ１３にも強い光を使用したい場合には反射板２４を使用して集光させるようにしてもよい。
【００４６】
また、図４で示されたように、光遮断部１７部分には投影画像生成部２３を設けると、さらに有利である。
つまり、投影画像生成部２３には、矢印やポインタ使用者の識別表示（氏名、識別番号等）を表示させる。
これによって、スクリーン３１上に矢印やポインタ使用者の識別表示を表示することができる。
そうすると、矢印の場合にはどの部分を指し示しているのかわかりやすくなるし、識別表示である場合には、誰がポインタで指し示しているのかをユーザ及び他の者が認識することが可能となる。
【００４７】
＜第２の変形例＞
以上の方法ではポインタ機能を有する携帯電話機１は１つである場合を想定していた。
しかし、図５のように複数のポインタ機能を有する携帯電話機１が一度に用いられる場合がある。
【００４８】
この場合には、同時に複数のポインタが同一のスクリーン３１上に現れることになる。これではどのユーザがどの部分を指し示しているのか不明であることからこれを区別する必要が生じる。
その方法としては、各携帯電話機１毎に異なるＬＥＤ１５の発光色を割り振る方法がある。
その方法について以下記載する。
【００４９】
図５は、本発明の携帯電話機１を複数用いた様子を表したものである。
【００５０】
図５のように、スクリーン３１には、親端末、子端末１及び子端末２の３台の携帯電話機１がポインタによって指し示めされている。もっとも３台に限定する趣旨ではなく必要に応じて増減可能である。特に、本発明においてはＬＥＤ１５の発光色は任意に選択可能であるから、ユーザが区別して識別可能な範囲で携帯電話機１の個数は増やすことが可能である。
このうち親端末である携帯電話機１は子端末１及び子端末２のＬＥＤ１５の発光色を決定する機能を有する。
【００５１】
図６は、親端末が子端末１、子端末２及び親端末自身のＬＥＤ１５の発光色を決定する信号処理系を表すブロック図である。
【００５２】
親端末、子端末１及び子端末２の携帯電話機１における各部材の基本的な働きは図３のところで説明したものと同じであるから説明を省略する。
【００５３】
まず、親端末、子端末１及び子端末２の携帯電話機１の各ユーザは、入力部１０及び子端末入力部１１０によって、ポインタ機能の発光色の決定を自動に行う旨のキー入力を行う。
この入力信号は、入力部１０（子端末入力部１１０）から制御部５７（子端末制御部１５７）に伝達される。
これを受けた制御部５７（子端末制御部１５７）は、同じくポインタ機能の発光色の色指定命令を受けている他の携帯電話機１を発見するために、通信部５１（子端末通信部１５１）を通じて通信を行う。
そうすると、同じく色指定命令を受けている携帯電話機１を各携帯電話機１は発見することができる。
そうすると、親端末の携帯電話機１の制御部５７は、自機の発光色と子端末１の発光色とを同一にならないように決定する。この決定方法は様々な方法が考えられるが、赤、青、緑、オレンジ、・・・のように順番を予め決定しておいて順に割り振るという方法があり得る。また、この際に、使用できない又は使用したくない色等を記憶しておく方法も同時に用いてもよい。
そして、決定した子端末１の携帯電話機１の発光色情報は、通信部５１を用いて子端末１の携帯電話機１に発信される。
子端末通信部１５１は、この発信された通信を受信する。そして、この発光色情報は子端末記憶部１５６に記憶される。
子端末ポインタ・インジケータ制御部１５３は、記憶された発光色情報に基づいて子端末ＬＥＤ１１５を発光させる。
これによって、親端末の携帯電話機１が決定した発光色によるポインタ表示が、子端末１の携帯電話機１になされる。
【００５４】
また、自機（親端末）及び子端末１の携帯電話機１に使用した発光色情報は記憶部５６に記憶して、重複して割り振ることがないようにする。
さらに、制御部５７は子端末２の発光色も決定して、記憶部５６に記憶し、通信部５１を通じて子端末２の携帯電話機１に通知する。
これによって、子端末２の携帯電話機１も親端末によって決定された発光色によるポインタ表示を行う。
【００５５】
なお、親端末の携帯電話機１も自らの制御部５７が決定した発光色によるポインタ表示を行う。
【００５６】
図７は、親端末が子端末１、子端末２及び親端末自身のＬＥＤ１５の発光色を決定する手順を表した説明図である。
【００５７】
ステップＳＴ１１においてユーザは、携帯電話機１に親端末として発光色の色決定を行う旨の入力をする。
ほぼ同時に子端末１及び子端末２の携帯電話機１のユーザも、子端末として親端末による発光色の色決定を受ける旨の入力を行う（ステップＳＴ３１及びステップＳＴ５１）。
そうすると、ステップＳＴ１２、ステップＳＴ３２及びステップＳＴ５２において、無線通信によって通信して、親端末は子端末として発光色の色指定を受ける携帯電話機１の個数を把握する。
【００５８】
そして、ステップＳＴ１３おいて、親端末の制御部５７は自身の発光色と子端末１の発光色を決定する。
次に、ステップＳＴ１４において、親端末の制御部５７は記憶部５６に決定した自機（親端末）の発光色及び子端末１の発光色を記憶する。
決定した子端末１の発光色は、ステップＳＴ１５において、通信部５１を通じて子端末１の携帯電話機１に通知される。
子端末１は、ステップＳＴ３５において、子端末通信部１５１を通じて発光色を受信し子端末記憶部１５６に記憶する。
【００５９】
さらに、ステップＳＴ１６おいて、親端末の制御部５７は子端末２の発光色を、記憶している自機（親端末）及び子端末１の発光色以外の色を選択して決定する。
次に、ステップＳＴ１７において、親端末の制御部５７は記憶部５６に決定した子端末２の発光色を記憶する。
そして、決定した子端末２の発光色は、ステップＳＴ１８において、通信部５１を通じて子端末２の携帯電話機１に通知される。
子端末２は、ステップＳＴ５８において、子端末通信部１５１を通じて発光色を受信し子端末記憶部１５６に記憶する。
【００６０】
最後に、ステップＳＴ１９、ステップＳＴ３９及びステップＳＴ５９において、親端末、子端末１及び子端末２の各携帯電話機１は、記憶部５６及び子端末記憶部１５６に記憶されている発光色でＬＥＤ１５及び子端末ＬＥＤ１１５を各々発光させる。
また、同時に、光遮断部１７及び子端末光遮断部１１７を制御しえて光遮断を解除する。
【００６１】
このように構成することによって、複数の携帯電話機１のポインタが同時にスクリーン上に表示されても、ユーザは誰のポインタか認識することができる。
【００６２】
以上の第２の変形例では、電話通信用の無線通信を用いて通信を行っていたが、これに限定する趣旨ではない。具体的には、赤外線通信やブルートゥース（ブルートゥース  エスアイジー，インコーポレイテッドの登録商標）等の近距離無線通信を用いてもよい。この場合には、親端末と子端末１、親端末と子端末２・・・という様に順次に発光色を決定していってもよい。
【００６３】
＜第３の変形例＞
第２の変形例における方法では、各ユーザの用いているポインタの色は重複しないのであるから、それぞれ別の人によるポインタによる表示であることは容易に認識することができる。
しかしながら、区別は可能であるが、はたしてそれが誰のポインタによる表示であるかは容易には分らないという問題点がある。
その解決手段としては、第２の変形例による発光色の色指定があったのちに、各自が申請する等の方法があり得る。
しかし、その方法は迂遠である。
そこで、かかる問題点を解決するために以下の第３の変形例が考えられる。以下第３の変形例について記載する。
【００６４】
図８は、第３の変形例を説明する説明図である。
【００６５】
図８のように、ポンタ表示が行われているスクリーン３１には、同時にプロジェクタ３０によって投影画像３２が投影されている場合が多い。
この場合には、スクリーン３１の投影画面上に各ポインタの色の使用者が誰であるか示せれば、ユーザ等は誰がポインタの使用者であるか知ることができる。
【００６６】
図９は、スクリーン３１に表示する表示例である。
【００６７】
図９のように、スクリーン３１に投影される投影画像３２の、隅には識別表示３３がなされる。
識別表示３３は、図９のように、色とポインタを使用している者の氏名である。もっとも、これに限定する趣旨ではなく様々な方法があり得る。
具体的には、氏名ではなく識別ＩＤ等の番号であってもよいし。氏名ではなく、マークや図柄等であってもよい。色も文字ではなくその色でその部分を塗りつぶしてもよい。
【００６８】
図１０は、プロジェクタ３０に発光色及び発光色に対応したユーザ情報（識別表示３３）を通知する際の信号処理系を表すブロック図である。
【００６９】
上述の第２の変形例の方法等によって、親端末、子端末１及び子端末２の発光色が決定される。
また、発光色を決定する通信を行う際に、親端末に子端末１及び子端末２の識別表示３３の情報も同時に通知される。
識別表示３３の情報とは、各携帯電話機１に記憶されているユーザの氏名情報である。
もっともこれに限定する趣旨ではなく、発光色の色指定をする又は受ける旨の入力（図７のステップＳＴ１１、ステップＳＴ３１、ステップＳＴ５１）をする際に入力又は選択することもできる。さらに、あらかじめ指定しておくこともできる。
【００７０】
このような処理が行われたのちに、親端末の携帯電話機１はプロジェクタ３０と通信して、プロジェクタ３０に発光色情報とそれに対応した識別情報を通知する。
そして、その通知を受けたプロジェクタ３０はそれに対応した表示を行う。
具体的には、ユーザは入力部１０によって、親端末の携帯電話機１にプロジェクタ３０に識別表示３３を行う旨の入力を行う。
また、ユーザは、プロジェクタ入力部２１０によって、プロジェクタ３０に親端末の携帯電話機１から識別表示３３の情報を受ける旨の入力を行う。
【００７１】
そうすると、通信部５１及びプロジェクタ通信部２５１は通信を行い、通信部５１は記憶部５６に記憶されていた発光色情報及び識別表示３３の情報をプロジェクタ通信部２５１に通知する。
これを受けたプロジェクタ制御部２５７は、その情報をプロジェクタ記憶部２５６に記憶する。さらに、プロジェクタ制御部２５７は、表示位置等の調整を行って、プロジェクタ投影部２０８に発光色と識別表示３３が分かりやすい様に表示する旨の命令を行う。
【００７２】
図１１は、プロジェクタ３０が発光色及び識別表示３３を行う際の内部処理を表した説明図である。
【００７３】
ステップＳＴ７１において、各携帯電話機１（親端末、子端末１、子端末２）が表示する発光色を決定が完了している。また、ステップＳＴ７１において、前記表示色を表示する携帯電話機１の識別表示３３の内容を決定が決定している。
これらの情報は親端末の携帯電話機１が保有している。
そしてステップＳＴ７２において、ユーザは親端末の携帯電話機１にプロジェクタ３０に識別表示３３を行う旨の入力を行う。
同時に、ステップＳＴ９２において、ユーザはプロジェクタ３０に識別表示３３を行う旨の入力を行う。
【００７４】
ステップＳＴ７３において、親端末の携帯電話機１はプロジェクタ３０を無線通信により検索を行う。
また、ステップＳＴ９３において、プロジェクタ３０は親端末の携帯電話機１を無線通信により検索を行う。
【００７５】
ステップＳＴ７４において、親端末の携帯電話機１は発光色情報及び識別表示３３情報を発信する。
ステップＳＴ９４おいて、プロジェクタ３０は発光色情報及び識別表示３３情報を受信し記憶する。
【００７６】
ステップＳＴ９５において、プロジェクタ３０はプロジェクタ投影部２０８を用いて発光色情報及び識別表示３３情報を投影する。
【００７７】
以上のように構成することによって、ユーザはどの色がどのユーザによって使用されているかを知ることが容易にできるようになる。
【００７８】
以上の実施形態によれば、本発明の携帯電話機１は、筐体２と、筐体２内部に配設されているＬＥＤ１５を有している。
そして、ＬＥＤ１５が発生する光を筐体２外部に放射して報知するインジケータ１３と、ＬＥＤ１５が発生する光を集光して前記筐体２外部に放射するポインタ用レンズ１４と、を有する。
このような構成によって、携帯電話機１は、レーザー光線ではなくＬＥＤ１５の光によってポインタ機能を発揮することができる。
そして、ＬＥＤ１５の光はレーザー光線よりもエネルギーが低いことから、万一光が人間の目に入ってしまった場合であっても失明等のダメージを人間に与えないという利点がある。
さらに、ＬＥＤ１５はレーザー光線を発生させる電子部品よりも極めて安いのであるから、安価にポインタ機能を携帯電話機１に搭載することができるという利点がある。
また、ＬＥＤ１５をポインタ用とインジケータ用の両方に兼用することができるのであるから、レーザー光線を発生させる電子部品を別に搭載する場合に比べて、部品点数の削減になる。このことは、製造上のコスト削減に寄与する。
【００７９】
筐体２内部のＬＥＤ１５とポインタ用レンズ１４との間に、発光部が発光した光を遮光する光遮断部１７が配置されている。
このような構成によって、ポインタとして使用しない場合にはＬＥＤ１５はインジケータとしてのみ用いることができる。
【００８０】
光遮断部１７は、制御部５７からの制御に基づいて光を遮光する。
このような構成によって、必要に応じてポインタとインジケータ１３表示とを切り替えることができる。
【００８１】
ＬＥＤ１５は、複数の波長の光を発光可能である。
このような構成によって、レーザー光線の光の色を変更することは困難で、多額のコストを必要とするが、ＬＥＤ１５であれば単に赤、青、緑の３種類のＬＥＤ１５を搭載すれば任意の色を作成することができる。
これによって、ポインタに用いている光の色を各ユーザに通知しておけば、誰がどこを指し示しているかを容易に認識することが可能となり、利便性が増す。
【００８２】
発光部色割り振り指令が入力された場合に、他の携帯電子機器（子端末）と通信を行う通信部５１と、他の携帯電子機器（子端末）と通信して、自機（親端末）のＬＥＤ１５の発光色及び他の携帯電子機器（子端末）の発光部の発光色を決定する制御部５７を有している。
また、制御部５７が決定した自機（親端末）の発光色情報及び他の携帯電子機器（子端末）のＬＥＤ１５の発光色情報を記憶する記憶部５６と、を有している。
また、ＬＥＤ１５は、前記記憶部５６に記憶された自機（親端末）の発光色情報に基づく色を発光する。
このように構成することによって、簡単に複数の携帯電話機１のポインタが同時にスクリーン３１上に表示されても、ユーザは誰のポインタか認識することができる。
【００８３】
発光部色割り振り指令が入力された場合に、他の携帯電子機器（親端末）と通信を行う通信部５１と、他の携帯電子機器（親端末）が決定した、自機（子端末）の発光部の発光色の発光色情報を記憶する記憶部５６と、を有している。
また、ＬＥＤ１５は、記憶部５６に記憶された自機（子端末）の発光色に基づく色を発光する。
このように構成することによって、簡単に複数の携帯電話機１のポインタが同時にスクリーン上に表示されても、ユーザは誰のポインタか認識することができる。
【００８４】
制御部５７は、自機（親端末）のＬＥＤ１５の発光色情報及び他の携帯電子機器（子端末）のＬＥＤ１５の発光色情報、並びに、自機（親端末）の識別表示３３情報及び他の携帯電子機器（子端末）の識別表示３３情報を通信部５１を介してプロジェクタ３０へ発信する。
このような構成によって、ユーザはどの色がどのユーザによって使用されているか知ることが容易にできるようになる。
【００８５】
本発明におけるプロジェクションシステムは、他機器と通信可能な複数の携帯電話機１と、当該携帯電話機１と通信可能なプロジェクタ３０と、を有している。
そして、携帯電話機１の少なくとも１つ（親端末）は、発光部色割り振り指令が入力された場合に、他の携帯電話機１（子端末）と通信を行う通信部５１と、他の携帯電話機１（子端末）と通信して、自機（親端末）のＬＥＤ１５の発光色及び他の携帯電子機器のＬＥＤ１５の発光色を決定する制御部５７と、を有している。
さらに、プロジェクタ３０は、制御部５７によって決定された自機（親端末の）のＬＥＤ１５の発光色情報及び他の携帯電話機１（子端末）のＬＥＤ１５の発光色情報、並びに、自機（親端末）の識別表示３３情報及び他の携帯電話機１（子端末）の識別表示３３情報を受信するプロジェクタ通信部２５１と、を有している。
加えて、プロジェクタ通信部２５１を介して受信した各携帯電話機１の発光色情報及び識別表示３３情報を投影するプロジェクタ投影部２０８と、を有する。
このような構成によって、ユーザはどの色がどのユーザによって使用されているか知ることが容易にできるようになる。
【００８６】
なお、以上の実施形態において、筐体２は本発明の筐体の一例である。つまり、筺体とは、携帯電子機器を収容する容器に該当するものであればどのようなものであってもよい。さらに、容器の一部、例えば、フロントケース４、リアケース５、であっても筺体に該当する。
【００８７】
通信部５１は本発明における第１の通信部の一例であり、プロジェクタ通信部２５１は本発明における第２の通信部の一例である。
また、制御部５７は本発明における第１の制御部の一例であり、プロジェクタ制御部２５７は本発明における第２の制御部の一例である。
【００８８】
ＬＥＤ１５は本発明における発光部の一例である。
【００８９】
本発明は、以上の実施形態に限定されず、種々の態様で実施されてよい。
【００９０】
携帯電子機器は、携帯電話機１に限定されない。例えば、携帯電子機器は、ノートパソコン、ＰＤＡ、ゲーム機、カメラであってもよい。また、携帯電子機器は、折り畳み式のものであってもよい。
【符号の説明】
【００９１】
１…携帯電話機、２…筐体、４…フロントケース、５…リアケース、８…表示部、１０…入力部、１１…右側面、１２…左側面、１３…インジケータ、１４…ポインタ用レンズ、１５…ＬＥＤ（発光部）、１６…プリント基板、１７…光遮断部、２０…上側面、２１…下側面、２３…投影画像生成部、２４…反射板、３０…プロジェクタ、３１…スクリーン、3２…投影画面、３３…識別表示
５１…通信部（第１の通信部）、５３…ポインタ・インジケータ制御部、５６…記憶部、５７…制御部（第１の制御部）、５８…システムバス、
１０８…子端末表示部、１１０…子端末入力部、１５１…子端末通信部、１５３…子端末ポインタ・インジケータ制御部、１５６…子端末記憶部、１５７…子端末制御部、１５８…子端末システムバス、
２０８…プロジェクタ投影部、２１０…プロジェクタ入力部、２５１…プロジェクタ通信部（第２の通信部）、２５６…プロジェクタ記憶部、２５７…プロジェクタ制御部（第２の制御部）、２５８…プロジェクタシステムバス
【図１】
2010278690.tif 000003
【図２】
2010278690.tif 000004
【図３】
2010278690.tif 000005
【図４】
2010278690.tif 000006
【図５】
2010278690.tif 000007
【図６】
2010278690.tif 000008
【図７】
2010278690.tif 000009
【図８】
2010278690.tif 000010
【図９】
2010278690.tif 000011
【図１０】
2010278690.tif 000012
【図１１】
2010278690.tif 000013